(57)【要約】【課題】発射レバーの周辺の装飾性を装飾カバー体によって向上させつつ、装飾カバー体の開口部からの異物の侵入を防止する閉塞部材を有する弾球遊技機を提供する。【解決手段】発射レバー９０の操作部９１を遊技者が操作し移動させると、これに連動して打球槌は発射準備位置に移動し、次いで前記発射レバー９０の操作部９１の移動を解除すると、打球槌は前記発射準備位置から発射位置に移動し、遊技球を遊技領域に弾発する弾球遊技機において、前記発射レバー９０の操作部９１を操作時と非操作時の間で変位可能とする開口部１０１が形成された装飾カバー体１００で、前記操作部９１を装飾カバー体１００の外側へ突出させ、前記操作部９１が前記操作時と非操作時のいずれの位置においても前記開口部１０１を塞ぐように閉塞部材９２が発射レバー９０に形成される。【選択図】　　　　図２
2004081663.tif 000002
【特許請求の範囲】
【請求項１】
遊技領域に遊技球を弾発する発射位置と発射準備位置の間で往復揺動可能な打球槌と、前記打球槌を発射位置へ常時付勢する付勢部材と、遊技者の手動操作により第一位置と第二位置の間で変位可能な操作部が形成され、前記操作部に対する当該手動操作を打球槌に連動させる発射レバーとを備える発射装置であって、
前記発射レバーの操作部を第一位置側へ付勢部材の付勢力に抗して移動するとこれに連動して前記打球槌を発射準備位置に移動させ、次いで前記発射レバーの操作部の移動を解除すると前記付勢部材の付勢力によって前記打球槌を前記発射準備位置から発射位置に移動させて遊技球を遊技領域に弾発する弾球遊技機において、
前記発射レバーの前記操作部を突出させるとともに前記発射レバーの操作部が前記第一位置と第二位置に変位可能な開口部が形成され、前記発射レバーのうち前記操作部以外の少なくとも一部を覆う装飾カバー体を備え、前記操作部が前記第一位置及び第二位置のいずれの位置においても前記開口部を塞ぐ閉塞部材が発射レバーに形成されている
ことを特徴とする弾球遊技機。
【請求項２】
前記発射レバーの移動は連結部材を介して前記打球槌に連動されることを特徴とする請求項１に記載の弾球遊技機。
【請求項３】
前記発射レバーには軸部が形成され、前記軸部は前記連結部材と連結して軸支されることを特徴とする請求項２に記載の弾球遊技機。
【請求項４】
前記閉塞部材は前記発射レバーの軸部と操作部の間に形成され、前記装飾カバー体内側から開口部を塞ぐことを特徴とする請求項３に記載の弾球遊技機。
【請求項５】
前記閉塞部材は前記発射レバーの軸部と操作部の間に形成され、前記装飾カバー体外側から開口部を塞ぐことを特徴とする請求項３に記載の弾球遊技機。
【請求項６】
前記閉塞部材と前記装飾カバー体の開口部は前記発射レバーの軸部を中心に略同一形状で形成されていることを特徴とする請求項４又は５に記載の弾球遊技機。
【請求項７】
前記閉塞部材は装飾カバー体に対して摺動可能に構成されていることを特徴とする請求項１ないし６のいずれか１項に記載の弾球遊技機。
【請求項８】
前記閉塞部材の外周縁全体に外周縁凸部が設けられ、前記外周縁凸部は前記装飾カバー体に対して摺動可能に構成されていることを特徴とする請求項１ないし６のいずれか１項に記載の弾球遊技機。
【請求項９】
前記装飾カバー体は下側遊技球貯留皿と一体的に形成されていることを特徴とする請求項１ないし８のいずれか１項に記載の弾球遊技機。
【請求項１０】
前記装飾カバー体には発光体が設置されていることを特徴とする請求項１ないし９のいずれか１項に記載の弾球遊技機。
【発明の詳細な説明】
【０００１】
【発明の属する技術分野】
この発明は、パチンコ遊技機等の弾球遊技機に関し、特に発射装置に装飾カバーが設けられた弾球遊技機に関する。
【０００２】
【従来の技術】
従来の弾球遊技機において、図１３に示す弾球遊技機１ａより理解されるとおり、発射レバー１３０は、遊技者による下方へ押下する等の手動操作を打球槌（図示せず）に伝達するするものである。しかしながら、図１３に示すようにこの弾球遊技機１ａは、発射レバー１３０がむき出しに露出した構成となっているため、発射レバー１３０周辺の装飾性が乏しく、その改善が望まれていた。
【０００３】
そこで、発射レバー１３０周辺の装飾性を向上させるために、発射レバー１３０を装飾カバーによって覆うことが考えられてきた。しかるに、装飾カバーには発射レバー１３０の操作部１３１を突出させ移動可能（操作可能）にするために開口部を設ける必要があり、かかる構造においては、開口部から異物が侵入して発射レバーによる発射操作に支障が生じる懸念があった。
【０００４】
【発明が解決しようとする課題】
この発明は前記の点に鑑みなされたものであり、発射レバーの周辺の装飾性を装飾カバーによって向上させつつ、前記装飾カバーに設けられた開口部からの異物の侵入を抑制する閉塞部材を有する弾球遊技機を提供する。
【０００５】
【課題を解決するための手段】
すなわち、請求項１の発明は、遊技領域に遊技球を弾発する発射位置と発射準備位置の間で往復揺動可能な打球槌と、前記打球槌を発射位置へ常時付勢する付勢部材と、遊技者の手動操作により第一位置と第二位置の間で変位可能な操作部が形成され、前記操作部に対する当該手動操作を打球槌に連動させる発射レバーとを備える発射装置であって、前記発射レバーの操作部を第一位置側へ付勢部材の付勢力に抗して移動するとこれに連動して前記打球槌を発射準備位置に移動させ、次いで前記発射レバーの操作部の移動を解除すると前記付勢部材の付勢力によって前記打球槌を前記発射準備位置から発射位置に移動させて遊技球を遊技領域に弾発する弾球遊技機において、前記発射レバーの前記操作部を突出させるとともに前記発射レバーの操作部が前記第一位置と第二位置に変位可能な開口部が形成され、前記発射レバーのうち前記操作部以外の少なくとも一部を覆う装飾カバー体を備え、前記操作部が前記第一位置及び第二位置のいずれの位置においても前記開口部を塞ぐ閉塞部材が発射レバーに形成されていることを特徴とする弾球遊技機に係る。
【０００６】
請求項２の発明は、前記発射レバーの移動は連結部材を介して前記打球槌に連動されることを特徴とする請求項１に記載の弾球遊技機に係る。
【０００７】
請求項３の発明は、前記発射レバーには軸部が形成され、前記軸部は前記連結部材と連結して軸支されることを特徴とする請求項２に記載の弾球遊技機に係る。
【０００８】
請求項４の発明は、前記閉塞部材は前記発射レバーの軸部と操作部の間に形成され、前記装飾カバー体内側から開口部を塞ぐことを特徴とする請求項３に記載の弾球遊技機に係る。
【０００９】
請求項５の発明は、前記閉塞部材は前記発射レバーの軸部と操作部の間に形成され、前記装飾カバー体外側から開口部を塞ぐことを特徴とする請求項３に記載の弾球遊技機に係る。
【００１０】
請求項６の発明は、前記閉塞部材と前記装飾カバー体の開口部は前記発射レバーの軸部を中心に略同一形状で形成されていることを特徴とする請求項４又は５に記載の弾球遊技機に係る。
【００１１】
請求項７の発明は、前記閉塞部材は装飾カバー体に対して摺動可能に構成されていることを特徴とする請求項１ないし６のいずれか１項に記載の弾球遊技機に係る。
【００１２】
請求項８の発明は、前記閉塞部材の外周縁全体に外周縁凸部が設けられ、前記外周縁凸部は前記装飾カバー体に対して摺動可能に構成されていることを特徴とする請求項１ないし６のいずれか１項に記載の弾球遊技機に係る。
【００１３】
請求項９の発明は、前記装飾カバー体は下側遊技球貯留皿と一体的に形成されていることを特徴とする請求項１ないし８のいずれか１項に記載の弾球遊技機に係る。
【００１４】
請求項１０の発明は、前記装飾カバー体には発光体が設置されていることを特徴とする請求項１ないし９のいずれか１項に記載の弾球遊技機に係る。
【００１５】
【発明の実施の形態】
以下添付の図面に従ってこの発明を詳細に説明する。
図１はこの発明の一実施例に係る弾球遊技機全体の正面図、図２は図１の弾球遊技機における発射装置の要部斜視図、図３は発射レバーの斜視図、図４は図２のＸ−Ｘ線の位置で切断した状態の断面図、図５は図２の発射装置の上面図、図６は打球槌と球送りカセットと発射レールの要部を示す斜視図、図７は発射レバーが第一位置にあるときの打球槌と発射レバーの位置関係を示す遊技機背面側からの要部正面図、図８は発射レバーが第二位置にあるときの打球槌と発射レバーの位置関係を示す遊技機背面側からの要部正面図、図９は発射レバーの他の実施例を示す斜視図、図１０は発射装置の他の実施例を示す斜視図、図１１は図１０のＹ−Ｙ線の位置で切断した状態の断面図、図１２は発射レバーのさらに別の実施例を示す斜視図である。
【００１６】
図１に示す弾球遊技機１は、枠体２の内側に遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれた遊技領域６の中心線上にその上部から下部に向かって順に画像表示装置９、普通電動役物である第１種始動入賞口１０、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００１７】
また、前記枠体２の前面側には、払い出された遊技球を受け、遊技者の発射操作に応じて遊技球を遊技盤３の遊技領域６に向けて発射する発射装置６０に遊技球を供給する上側遊技球貯留皿３１、前記上側遊技球貯留皿３１の飽和時に遊技球を受けるための下側遊技球貯留皿３２、装飾カバー体１００、遊技状態を報知するランプ表示器３３，３４、音声や効果音を発して遊技状態を遊技者に報知するスピーカ８、発射装置６０がそれぞれ組み付けられている。
【００１８】
なお、図中の画像表示装置９に関し、符号５０は液晶表示盤（ドットマトリックス表示器）等の画像表示部からなる図柄表示装置であり、図示はしないが特別図柄及び普通図柄が表示される。前記図柄表示装置５０を構成する画像表示部は、前記のような液晶表示盤に限られるものではなく、ＬＥＤ、ＥＬ、ＣＲＴやその他発光体で構成されていてもよい。
【００１９】
前記遊技盤３の背面（裏面）には、図示しないが、前記下側の第１種始動入賞口１０を開閉する第１種始動入賞口用ソレノイドが設けられているとともに、前記第１種始動入賞口１０に入賞した球を検出するフォトセンサや近接スイッチ等よりなる始動入賞口用入賞球検出手段が入賞球用通路に設けられており、該入賞球の検出によって前記図柄表示装置５０の図柄変動を開始するようになっている。さらに、前記普通図柄変動開始用左ゲート１９及び普通図柄変動開始用右ゲート２１はフォトセンサや近接スイッチ等よりなるゲート用入賞球検出手段を備え、該ゲート用入賞球検出手段で両ゲート１９，２１を通過する遊技球を検出することによって前記図柄表示装置５０内の普通図柄変動を開始させるようになっている。そして、前記図柄表示装置５０の普通図柄変動の後に停止表示された図柄が予め設定されている特定の図柄であった場合には、普通図柄の当たりとなり、前記第１種始動入賞口１０の拡開開放を所定時間行うようになっている。
【００２０】
また、前記遊技盤３の大入賞口１５の背面側には、前記大入賞口１５の開閉板を開閉する大入賞口開放用ソレノイドと、前記大入賞口１５内の一部に形成された特定領域入賞口及びその開閉扉を所定条件時に開閉するための特定領域開放用ソレノイドとが設けられている。またさらに、前記特定領域入賞口への入賞球を検出するフォトセンサや近接スイッチ等よりなる特定領域入賞口用入賞球検出手段（特定入賞球検出スイッチ）が、前記大入賞口１５の背面側に設けられ、該入賞球の検出により大入賞口１５を再度開ける継続権利が成立するようにされているとともに、大入賞口１５への入賞球数を検出する大入賞口用入賞球検出手段（入賞球数カウントスイッチ）が設けられている。
【００２１】
前記大入賞口１５は次のように作動する。まず、前記第１種始動入賞口１０に遊技球が入賞し、始動入賞口用入賞球検出手段によって入賞球が検出されると、内部的に当否判定や図柄の決定をするとともに前記図柄表示装置５０で複数の特別図柄の変動を開始する。そして、所定時間変動後、前記複数の特別図柄が変動停止して、停止図柄が図柄表示装置５０に確定表示される。そのときの確定表示図柄の組合せが、当否判定や図柄の決定に従って、予め決められた特定の大当たり組合せ、例えば、同一図柄の組合せからなる通称ゾロ目になると、大当たりが成立する。大当たりになると、前記大入賞口１５の開閉板が下部を回動支点として開いて遊技領域６を落下してくる遊技球を受け止め、大入賞口１５内へ入賞可能にする。
【００２２】
また、この実施例の遊技盤３の背面側においては、前記左袖入賞口２３に接続された左袖入賞口入賞球用通路と、右袖入賞口２５に接続された右袖入賞口入賞球用通路に、フォトセンサや近接スイッチ等よりなる左袖入賞口用入賞球検出手段と右袖入賞口用入賞球検出手段が設けられている。さらに、左落とし入賞口２７に接続された左落とし入賞口入賞球用通路と、右落とし入賞口２９に接続された右落とし入賞口入賞球用通路に、フォトセンサや近接スイッチ等よりなる左落とし入賞口用入賞球検出手段と右落とし入賞口用入賞球検出手段が設けられている。また、この実施例では、それぞれの入賞口における入賞球の検出結果に基づいて所定数の賞品球が払い出されるようになっている。
【００２３】
さらに、この実施例では、前記のように各入賞口のそれぞれに検出手段を設けているが、この発明の弾球遊技機はこれに限られるものではない。例えば、アレンジボール遊技機のように、予め決められた所定数の遊技球を遊技領域に弾発し、遊技領域下部に配置された複数の入賞口の何れかに入賞させ、その入賞の組合せに応じて遊技者に賞を与えるようにしてもよい。
【００２４】
加えて、前記弾球遊技機１内には、それぞれの入賞口における入賞球の検出結果に基づいて所定数の賞品球を払い出す賞品球払出装置と、球貸情報の記録されたプリペイドカードがプリペイドカードユニット１７０のカード挿入口１７１に投入された状態で、遊技者がボタン等の操作を行うことにより、所定数の貸球を払い出す貸球払出装置とを備えている。前記賞品球払出装置又は貸球払出装置により払い出された遊技球は、上側遊技球貯留皿３１に払い出され貯留される。
【００２５】
前記上側遊技球貯留皿３１の外側前面には、遊技者が貸球の払出操作を行う球貸出操作部１７２が設けられている。この球貸出操作部１７２には、球貸出ボタン１７３、カード返却ボタン１７４が設けられている。また、前記上側遊技球貯留皿３１の右側上面には、この上側遊技球貯留皿３１の遊技球を球抜きして前記下側遊技球貯留皿３２へ移すための球抜き操作ボタン１７５が設けられている。
【００２６】
図２ないし図８を用い、発射装置６０の構造及び作用について説明する。実施例において前記発射装置６０は、遊技者による押し下げ及び解放の手動操作を発射レバー９０で受け、この操作を後述する連結部材１１０の介在によって打球槌７０に連動させ、発射レール７３上に装填された遊技球７６を前記遊技領域６に弾発するものである。
【００２７】
図２は発射装置６０の遊技者側から見た要部の斜視図であり、発射レバー９０の軸部９３（図３に図示）及び操作部９１の軸部付近を覆い被せるように装飾カバー体１００を組み付けたものである。前記装飾カバー体１００は、図１より理解されるように下側遊技球貯留皿３２と意匠形状上の外観を考慮して一体的に形成される。また、装飾カバー体１００の遊技者側の正面には、公知のＬＥＤ，電球等からなる発光体１０３が敷設され、前述の各入賞口１０等への入賞に起因する遊技の内容に応じて適宜発光し、装飾カバー体１００の装飾性をいっそう高めるものである。また、図の符号１０４で示す装飾部は、装飾カバー体１００の装飾性をさらに高めるために施された凸状形状等よりなる飾りであり、装飾カバー体１００の適宜の位置に施される。装飾カバー体１００に設けられた開口部１０１は、前記発射レバー９０（装飾カバー体１００の外側に突出した操作部９１）が変位可能な空間が形成され、その内部には該開口部１０１を塞ぐ閉塞部材９２が形成される。図２中の符号６１は下側遊技球貯留皿取付板、６２は遊技者が操作部９１を操作する際に指等を掛けるための指掛け部、１０２ａは上部辺、１０２ｂは下部辺である。
【００２８】
前記発射レバー９０は、図３に図示するとおり、変位運動（実施例では揺動運動）の中心軸である軸部９３と、遊技者の手動操作を受ける操作部９１からなり、軸部９３と操作部９１の間に前記閉塞部材９２が一体に形成される。軸部９３には、後述の連結部材１１０を挿入するための軸部口９４が形成される。操作部９１の形状は、遊技者の手動操作を伝達可能な限りにおいては適宜である。図３においては操作部９１は軸部９３とは逆側が湾曲した棒状体を図示する。
【００２９】
図４は発射装置６０のＸ−Ｘ線における縦断面を表すものである。発射レバー９０の軸部９３の周囲が装飾カバー体１００によって覆われているものである。図の実施例では、装飾カバー体１００に設けられた開口部１０１と、該開口部１０１を装飾カバー体１００の内側１０５から塞ぐ閉塞部材９２は、縦断面において略同一形状に形成され発射レバー９０の軸部９３を中心とした略円弧状に形成されている。また、閉塞部材９２は、該閉塞部材９２が形成された発射レバー９０の移動に伴い装飾カバー体１００に対して摺動可能に構成されている。すなわち、発射レバー９０の操作部９１が図の実線で表した第二位置より軸部９３を中心とした揺動運動によって図の点線で表した第一位置に移動する際、発射レバー９０に一体に形成された閉塞部材９２が装飾カバー体１００の内側１０５から開口部１０１を常に塞いだ状態で軸部９３を中心として発射レバー９０の移動とともに摺動するのである。このため、発射レバー９０が第一位置及び第二位置のいずれの位置においても閉塞部材９２が開口部１０１を塞いだ状態となる。
【００３０】
さらに図５の上面図として図示するとおり、前記発射装置６０は、遊技盤１の遊技者と対面する前面側に発射レバー９０、装飾カバー体１００が形成され、枠体２を挟むようにして遊技盤１の背面側に後述の打球槌７０が形成されている。発射レバー９０の軸部９３は、遊技盤１の前面側より軸部口９４を貫通して遊技盤１の背面側に到達し打球槌７０と一体に連結する連結部材１１０より軸支されており、発射レバー９０の回転移動は軸部９３から連結部材１１０へと伝達され該連結部材１１０と結合する打球槌７０に連動される。この例においては、発射レバー９０の軸部口９４を貫通した連結部材１１０は発射装置板６３の孔部６５及び打球槌７０の孔部７７を貫通しており、連結部材１１０と発射レバー９０軸部９３との結合及び連結部材１１０と打球槌７０との結合においては、ボルトとナット等を用いて締結されている。
【００３１】
さらに、発射レバー９０の軸部９３と発射装置板６３との間には、トーションばねからなる付勢部材８０が連結部材１１０の外周を覆うように固定されている。前記付勢部材８０は、その一端側を軸部固定部材８１に固定され、他端側を発射装置板６３上の発射装置固定部材８２に固定される。
【００３２】
このように固定された付勢部材８０は、発射レバー９０の操作部９１を遊技者が操作（押し下げる）した際に生じる下方に働く（回動）力を付勢部材に備わる付勢力に変換し、蓄積する作用を有する。したがって、遊技者が操作を止めた（操作部９１における押し下げを解放した）際には、蓄積された付勢力が解放され、操作レバー９０及びこれに連結される打球槌７０が移動（揺動）する。図示の例では付勢部材にトーションばねを用いているがこれに限定されるものではなく、板ばね、竹の子ばね等の適宜の弾性体の利用が可能である。
【００３３】
遊技球７６が弾発される機構について、図６ないし図８を用いて説明する。図６は、前記上側遊技球貯留皿３１の弾球遊技機内の背面側に取り付けられる球送りカセット７１と、発射レール７３と、打球槌７０の位置を概略的に表現するものである。上側遊技球貯留皿３１に蓄えられた遊技球７６は、前記球送りカセット７１内を移動し、発射レール７３上の発射位置に１球ずつ装填される。遊技球７６を発射レールに装填する仕組みは適宜であるが、実施例において、打球槌７０の動きに伴い前記打球槌７０に固定された係合部材７５も揺動する。前記係合部材７５は連動部材７４に係合することによって、打球槌７０の揺動を連動部材７４に伝達し揺動運動させる。前記連動部材７４には、球送り部材７２と当接する当接部７４ｔが設けられ、連動部材７４に生じる揺動運動を球送り部材７２に上下運動として伝達する。前記球送り部材７２は、遊技球通過の開閉弁の役割を果たし、球送り部材７２を通過した遊技球７６は送り出し口７１ｏより発射レール７３に送り出される。
【００３４】
図７は、発射装置６０の打球槌７０が遊技球７６を打ち出す前の状態、すなわち発射準備位置にあるときの打球槌７０と発射レバー９０の状態を表し、遊技盤１の背面側より表す図である。遊技盤１の前面側に位置する発射レバー９０を遊技者の手動操作により付勢部材８０の付勢力に抗して図７に示す第一位置に移動させると、該発射レバー９０に連結した連結部材１１０を介して打球槌７０は連動し図中の発射準備位置に位置される。同時に、付勢部材８０の作用に詳述したように付勢部材８０の付勢力も蓄積される。このとき、打球槌７０に取り付けられた係合部材７５も打球槌７０とともに揺動し、該係合部材７５と係合する連動レバー７４は揺動し、図６に示す球送り部材７２を押し上げ、遊技球７６を１球のみ発射レール７３に装填する。なお、符号６４は制約部材であり、打球槌７０の揺動運動を制約するためのものである。
【００３５】
図８は、発射装置６０の打球槌７０が発射位置にあるときの打球槌７０と発射レバー９０の状態を表している。発射装置６０において、遊技者が発射レバー９０に対する操作（操作部９１を押し下げる移動）を止めた（解放した）際に、付勢部材８０に蓄積された付勢力が解放され、図中の第二位置に発射レバー９０（操作部９１）が移動する。前記打球槌７０も発射レバー９０に連結した連結部材１１０を介して連動し、図示の発射位置に揺動して発射レール７３上の遊技球７６を矢印方向に弾発する。この場合、連動レバー７４と係合部材７５との係合は、いったん解消されるため、連動レバー７４を通じての遊技球７６の発射レール７３への装填は行われない。
【００３６】
図９に示す発射レバー９０Ａは、閉塞部材９２Ａの外周縁９５Ａ全体に外周縁凸部９６Ｐが設けられていることが、図３に示す発射レバー９０と異なる。なお、操作部９１Ａ、軸部９３Ａ、軸部口９４Ａについては前記発射レバー９０と構成は同様である。前記閉塞部材９２Ａ及び外周縁凸部９６Ｐは、図２等に示す装飾カバー体１００の内側１０５及び開口部１０１に対して軸部９３Ａを中心とした略同一形状に形成され、前記装飾カバー体１００の内側１０５から開口部１０１を塞ぐように形成されたものである。したがって、外周縁凸部９６Ｐは、発射レバー９０Ａの軸部９３Ａと反対側、すなわち装飾カバー体１００の内側１０５に対して突出した略平板形状であり、閉塞部材９２Ａの形状に沿うように形成され、装飾カバー体１００に対してその内側１０５から摺動可能となっている。なお、前記外周縁凸部９６Ｐは、発射レバー９０Ａが第一位置（図４参照）にあるときは上部９７ｓが開口部１０１の上部辺１０２ａ（図２に図示）と略平行となり、発射レバー９０Ａが第二位置（図４参照）にあるときは下部９７ｔが開口部１０１の下部辺１０２ｂ（図２に図示）と略平行となるように構成されている。
【００３７】
また、図１０に示す発射装置６０Ｋにおいて、発射レバー９０Ｂの軸部９３Ｂ（図１１に図示）及び操作部９１Ｂの軸部９３Ｂ付近を覆い被せるように装飾カバー体１００Ｋが下側遊技球貯留皿取付板６１に組み付けられ、前記装飾カバー体１００Ｋの外側１０６ｋ（図１１に図示）が発射レバー９０Ｂの閉塞部材９２Ｂによって閉塞されるものである。なお、図１０において、前出の図２と同一の符号は同一の部材を示す。
【００３８】
図１１は前記発射装置６０ＫのＹ−Ｙ線における縦断面を表すものである。図より理解されるように、発射レバー９０Ｂの軸部９３Ｂの周囲が装飾カバー体１００Ｋによって覆われ、さらに発射レバー９０Ｂに取り付けられた閉塞部材９２Ｂが開口部１０１ｋを装飾カバー体１００Ｋの外側１０６ｋから塞いだものである。前記発射レバー９０Ｂの操作部９１Ｂが図の実線で表した第二位置より軸部９３Ｂを中心とした揺動運動によって図の点線で表した第一位置に移動した場合、閉塞部材９２Ｂは、操作部９１Ｂが第一位置及び第二位置のいずれの位置にあっても開口部１０１ｋを装飾カバー体１００Ｋの外側１０６ｋから閉塞することが可能である。なお、発射レバー９０Ｂの外観は、前出の発射レバー９０と同様の構成である。
【００３９】
図１２に示す発射レバー９０Ｃは、閉塞部材９２Ｃの外周縁９５Ｃ全体に外周縁凸部９６Ｑが設けられていることが、前出の図９に示す発射レバー９０Ａと異なる。なお、操作部９１Ｃ、軸部９３Ｃ、軸部口９４Ｃについては前記発射レバー９０Ａと構成は同様である。前記閉塞部材９２Ｃ及び外周縁凸部９６Ｑは、図１０に示す装飾カバー体１００Ｋの外側１０６ｋ及び開口部１０１ｋに対して軸部９３Ｃを中心とした略同一形状に形成され、前記装飾カバー体１００Ｋの外側１０６ｋ（図１１に図示）から開口部１０１ｋを塞ぐように形成されたものである。したがって、外周縁凸部９６Ｑは、発射レバー９０Ｃの軸部９３Ｃ側、すなわち装飾カバー体１００Ｋの外側１０６ｋに対して突出した略平板形状であり、閉塞部材９２Ｃの形状に沿うように形成され、装飾カバー体１００Ｋに対してその外側から摺動可能となっている。なお、前記外周縁凸部９６Ｑは、発射レバー９０Ａが第一位置（図１１参照）にあるときは上部９７ｕが開口部１０１ｋの上部辺１０２ｃ（図１０に図示）と略平行となり、発射レバー９０Ｃが第二位置（図１１参照）にあるときは下部９７ｖが開口部１０１ｋの下部辺１０２ｄ（図１０に図示）と略平行となるように構成されている。
【００４０】
なお、本発明は、上記実施例に限定されるものではなく、発明の趣旨を逸脱しない範囲において構成の一部を適宜に変更して実施することができる。例えば、上記実施例の発射装置の発射レバーは、遊技者が手動操作により押し下げ及び解放する形態となっているが、逆に発射レバーを押し上げ及び解放の他、発射レバーを遊技機側に押し倒す等の適宜の構造が考えられ、発射レバーの操作が打球槌に連動される構造であるならばその作用形態はいかなるものであっても構わない。また、発射レバー及び閉塞部材の形状、材質等はいかなるものであっても構わない。
【００４１】
【発明の効果】
以上図示し説明したように、請求項１の発明に係る弾球遊技機によれば、発射装置において、発射レバーの操作部を第一位置と第二位置の間で変位可能とする開口部が形成された装飾カバー体を設け、操作部が第一位置及び第二位置のいずれの位置においても開口部を塞ぐ閉塞部材を発射レバーに形成したため、発射レバーの周辺の装飾性を向上させることができ、かつ装飾カバー体の開口部からの異物の侵入を抑制することができる。
【００４２】
請求項２の発明に係る弾球遊技機よれば、発射レバーの移動は連結部材を介して打球槌に連動されるため、発射レバーの移動を直接打球槌に連動させることが可能となる。
【００４３】
請求項３の発明に係る弾球遊技機よれば、発射レバーには軸部が形成され、該軸部は連結部材と連結して軸支されていることから、発射レバーの移動を簡単な構造で直接打球槌に連動させることができる。
【００４４】
請求項４の発明に係る弾球遊技機よれば、閉塞部材が発射レバーの軸部と操作部の間に形成され、装飾カバー体内側から開口部を塞いでいるため、前記装飾カバー体の外観に影響を与えることなく異物の侵入を抑制することができる。
【００４５】
請求項５の発明に係る弾球遊技機よれば、閉塞部材が発射レバーの軸部と操作部の間に形成され、装飾カバー体外側から開口部を塞いでいるため、装飾カバー体の形状が小さく、閉塞部材を収容する空間が十分確保できない場合、とりわけ有効である。
【００４６】
請求項６の発明に係る弾球遊技機よれば、閉塞部材と装飾カバー体の開口部が発射レバーの軸部を中心に略同一形状で形成されているため、閉塞部材が発射レバーの動きに伴って移動する際、発射レバーがどのような位置にあっても、閉塞部材は装飾カバー体を内側又は外側から閉塞し、装飾カバー体の内部に異物が侵入するのを抑制することができる。
【００４７】
請求項７の発明に係る弾球遊技機よれば、閉塞部材が装飾カバー体に対して摺動可能に構成されているため、開口部と閉塞部材との隙間を減少させることができ、開口部からの異物の侵入を困難とすることが可能となる。
【００４８】
請求項８の発明に係る弾球遊技機よれば、閉塞部材の外周縁全体に外周縁凸部を設け、外周縁凸部を装飾カバー体に対して摺動可能に構成したため、開口部と閉塞部材との隙間をよりいっそう減少させることができる。
【００４９】
請求項９の発明に係る弾球遊技機よれば、装飾カバー体が下側遊技球貯留皿と一体的に形成されているため、遊技機において、外観上の調和を高めることができる。
【００５０】
請求項１０の発明に係る弾球遊技機よれば、装飾カバー体に発光体を設置したため、遊技の内容に応じて発光体が適宜発光することにより遊技者に高い興趣を与えることができると同時に、装飾カバー体の装飾性をいっそう高めることができる。
【図面の簡単な説明】
【図１】この発明の一実施例に係る弾球遊技機全体の正面図である。
【図２】図１の弾球遊技機における発射装置の要部斜視図である。
【図３】発射レバーの斜視図である。
【図４】図２のＸ−Ｘ線の位置で切断した状態の断面図である。
【図５】図２の発射装置の上面図である。
【図６】打球槌と球送りカセットと発射レールの要部を示す斜視図である。
【図７】発射レバーが第一位置にあるときの打球槌と発射レバーの位置関係を示す遊技機背面側からの要部正面図である。
【図８】発射レバーが第二位置にあるときの打球槌と発射レバーの位置関係を示す遊技機背面側からの要部正面図である。
【図９】発射レバーの他の実施例を示す斜視図である。
【図１０】発射装置の他の実施例を示す斜視図である。
【図１１】図１０のＹ−Ｙ線の位置で切断した状態の断面図である。
【図１２】発射レバーのさらに別の実施例を示す斜視図である。
【図１３】従来の弾球遊技機全体の正面図である。
【符号の説明】
１　弾球遊技機
６　遊技領域
３２　下側遊技球貯留皿
６０　発射装置
７０　打球槌
８０　付勢部材
９０　発射レバー
９１　操作部
９２　閉塞部材
９３　軸部
９５　外周縁
９６　外周縁凸部
１００　装飾カバー体
１０１　開口部
１０３　発光体
１０５　装飾カバー体の内側
１０６　装飾カバー体の外側
１１０　連結部材
【図１】
2004081663.tif 000003
【図２】
2004081663.tif 000004
【図３】
2004081663.tif 000005
【図４】
2004081663.tif 000006
【図５】
2004081663.tif 000007
【図６】
2004081663.tif 000008
【図７】
2004081663.tif 000009
【図８】
2004081663.tif 000010
【図９】
2004081663.tif 000011
【図１０】
2004081663.tif 000012
【図１１】
2004081663.tif 000013
【図１２】
2004081663.tif 000014
【図１３】
2004081663.tif 000015